(57)【特許請求の範囲】
【請求項１】
枠体の正面プレート（1a）にキーボタン（3）の頭部を通す複数の通口（4）と、操作部材（2）を嵌装する開口部（6）を形成するとともに、その裏面に軸方向のバネ受容凹部（7a）を設け、さらに、開閉本体側の係合フック受入れ口（29a）とバネ受容凹部（27b）を形成したバックカバー（29）を枠体裏側に嵌装してなるケーシング（1）と；
操作部（2a）の下部に前記ケーシング（1）の開口部（6）に嵌装される係合部（2b）を有し、その裏面にケーシング（1）軸方向へ変位可能な作動片（2c）を突出させた操作部材（2）と；
軸体（3a）の中央部に形成した横断貫通口（3b）に、外側へ択一的に突出する上部係止片（3c-1）と下部係止片（3c-2）を一体形成したセグメント（3c）をスライド可能に嵌装するとともに、この軸体（3a）をケーシング（1）の通口（4）の外側へ付勢させ且つ押し込み位置に係止させるバネ係合手段（3d）を介して上死点位置から押し込み位置へ往復スライド可能に嵌装した複数のキーボタン（3）と；  
前記各キーボタン（3）に嵌装したセグメント（3c）の突出側係止片を通す拡径縁辺（9a）とテーパー状縮径縁辺（9c）を介して突出側係止片を係止させる縮径縁辺（9b）からなり、前記ケーシング（1）の前記通口（4）群に対応する細長の異径開口（9）群と、前記操作部材（2）の作動片（2c）を通す開口部（10）と、前記ケーシング（1）のバネ受容凹部（7a）に対応する他方のバネ受容凹部（7b）を設けたプレートを有し、該プレートの裏面に係合突起（11）とバネ受容凹部（12a）を前記開口部（10）の前後に形成してなり、前記ケーシング（1）内軸方向にスライド可能に配設されたセットプレート（8）と；
前記ケーシング（1）の通口（4）群に対応するキーボタン通口（13）群と前記セットプレート（8）裏面の係合突起（11）を通す開口（14）を設け、前記ケーシング（1）内中央軸方向に平行に支持されたセンタープレート（16）と；
前記セットプレート（8）の通口（9）に対応してキーボタンを通す長軸通口（17）群と前記セットプレート（8）裏側の係合突起（11）を通す通口（18）を形成するとともに、その先端に縮径頸部を介して鉤状係合部（19）と裏側係合突起（20）を一体形成し、前記センタープレート（16）の軸方向に沿ってスライド可能に配設されたリリースフレーム（21）と；
後端に前記リリースフレーム（21）の鉤状係合部（19）に所定の間隙を保持して凹凸係合される鉤状係合部（22）を設けるとともに、その先端側に前記ケーシング（1）の通口部（6）に嵌合した操作部材（2）裏面の作動片（2c）によって先端側へ弾力的に押圧される係合段部（23）と前記セットプレート（8）のバネ受容凹部（12a）に対応するバネ受容凹部（12b）を設けて軸方向へスライド可能に配設された作動プレート（24）と；
後端部に前記セットプレート（8）の係合突起（11）を係合させる凹部(25)を設け、その側方に開閉部材の本体側フックを係合させるフック係合部（34）を設けるとともに、中央横断方向に前記リリースフレーム（21）の裏側係合突起（20）を受け入れる係合口（26）を設け、さらに、その先端側に前記バックカバー（29）のバネ受容凹部（27b）に対応する軸方向のバネ受容部（27a）を設けて軸方向にスライド可能に配設したロックプレート（28）と；を具備し、
前記ケーシング（1）のバネ受容凹部（7a）とセットプレート（8）のバネ受容凹部（7b）間に軸方向の共有位置同調コイルばね（30）を介装し、セットプレート（8）裏側のバネ受容凹部（12a）と操作プレート（24）のバネ受容凹部（12b）に軸方向の共有同期コイルばね（31）を介装し、さらに、ロックプレート（28）のバネ受容凹部（27a）と前記バックカバー（29）のバネ受容凹部（27b）間に軸方向の共有同期コイルばね（32）を介装したことを特徴とする開閉部材間のキー装置
【請求項２】
前記キーボタン（3）のバネ係合手段（3d）が、キーボタンの軸体（3a）下部に形成したバネ係止孔（3e）と、軸体（3a）の側面に形成したバネ係合溝（3f）と、キーボタンの軸体（3a）廻りに張り巡らせてケーシング通口（4）側へ付勢させたコイルばね（33）と、からなり、バネ係止孔（3e）に一端を係止させたコイルばね（33）をリリースフレーム（21）のブラケットに係合させて軸体（3a）廻りに弾力的に張り巡らせたことを特徴とする請求項１記載のキー装置
【発明の詳細な説明】
【技術分野】
【０００１】
本発明はメールボックス、ドア、金庫等の広範囲の開閉部材間に使用されるキー装置に関し、特に機械的な制御でキー番号を変更して使用できるキー装置の改良に関する。
【背景技術】
【０００２】
機械的な機構で開閉制御される一般的なキー装置は予めキーの番号が決まっており、番号等の変更ができない。このため、キー番号が外部に漏れたり、盗難にあったりすると新しいキーに変える必要が生じ，セキュリテイや費用の面で問題があった。
この問題を解決するために本件発明者は機械的な機構のみで開閉キー番号や桁数を自由に設定・変更して使用できるキー装置（特許第4070086号）を開発した。
このキー装置は，キー駒を出没可能に装着するキーケーシング内に開閉プレートとセットプレートとリセットフレームをスライド可能に重ね合わせ、これら各部材をそれぞれの機能に合わせたレバー操作をするもので、機械的な機構でキーの番号や桁数を自由に変更して使用でき優れた技術であるが、複数のプレートを二種類のレバーでそれぞれの機能が発揮されるように独立に手動操作する構造であるため、開閉操作が煩雑となり使い勝手に問題があった。
【先行技術文献】
【特許文献】
【０００３】
【特許文献１】特許第4070086号公報
【発明の概要】
【発明が解決しようとする課題】
【０００４】
本発明の課題は、キーケーシング内に嵌装されて異なる動作と機能を果たす複数のスライドプレートを、簡単な操作でそれぞれの目的に沿って作動させることができる機械的キー装置を提供することにある。
【課題を解決するための手段】
【０００５】
上記の課題を解決するために本発明のキー装置は、枠体の正面プレート1aにキーボタン3の頭部を通す複数の通口4と、操作部材2を嵌装する開口部6を設けるとともに、その裏面に軸方向のバネ受容凹部7aを設け、さらに、開閉本体側の係合フック受入れ口29aとバネ受容凹部27bを設けたバックカバー29を枠体裏側に嵌装してなるケーシング1と；操作部2aの下部に前記ケーシング1の開口部6に嵌装される係合部2bを有し、その裏面にケーシング1軸方向へ変位可能な作動片2cを突出させた操作部材2と；軸体3aの中央部に形成した横断貫通口3bに、外側へ択一的に突出する上部係止片3c-1と下部係止片3c-2を一体形成したセグメント3cをスライド可能に嵌装するとともに、この軸体3aをケーシング1の通口4の外側へ付勢させ且つ押し込み位置に係止させるバネ係合手段3dを介して上死点位置から押し込み位置へ往復スライド可能に嵌装した複数のキーボタン3と；前記各キーボタン3に嵌装したセグメント3cの突出側係止片を通す拡径縁辺9aとテーパー状縮径縁辺9cを介して突出側係止片を係止させる縮径縁辺9bを有し、前記ケーシング1の前記通口4群に対応する細長の異径開口9群と、前記操作部材2の作動片2cを通す開口部10と、前記ケーシング1のバネ受容凹部7aに対応する他方のバネ受容凹部7bを設けたプレートを有し、該プレートの裏面に下方へ延びる係合突起11とバネ受容凹部12aを前記開口部10の前後に形成してなり、前記ケーシング1内軸方向にスライド可能に配設されたセットプレート8と；前記ケーシング1の通口4群に対応するキーボタン通口13群と前記セットプレート8裏面の係合突起11を通す開口14を設け、前記ケーシング1内中央軸方向に平行に支持されたセンタープレート16と；前記セットプレート8の通口9に対応してキーボタンを遊嵌する長軸通口17群と前記セットプレート8裏側の係合突起11を通す通口18を形成するとともに、その先端に縮径頸部を介して鉤状係合部19と裏側係合突起20を一体形成し、前記センタープレート16の軸方向に沿ってスライド可能に配設されたリリースフレーム21と；後端に前記リリースフレーム21の鉤状係合部19に所定の間隙を保持して凹凸係合される鉤状係合部22を設けるとともに、その先端側に前記ケーシング1の通口部6に嵌合した操作部材2裏面の作動片2cによって先端側へ弾力的に押圧される係合段部23と前記セットプレート8 のバネ受容凹部12aに対応するバネ受容凹部12bを形成して軸方向へスライド可能に配設された作動プレート24と；後端部に前記セットプレート8の係合突起11を係合させる凹部25を設け、その側方に開閉本体の係合フックFを係合させるフック係合部34を有するとともに、中央横断方向に前記リリースフレーム21の裏側係合突起20を受け入れる係合口26を設け、さらに、その先端側に前記バックカバー29のバネ受容凹部27bに対応する軸方向のバネ受容部27aを設けて軸方向にスライド可能に配設したロックプレート28と；を具備し、前記ケーシング1のバネ受容凹部7aとセットプレート8のバネ受容凹部7b間に軸方向の共有位置同調コイルばね30を介装し、セットプレート8裏側のバネ受容凹部12aと操作プレート24のバネ受容凹部12bに軸方向の共有同期コイルばね31を介装し、さらに、ロックプレート28のバネ受容凹部27aと前記バックカバー29のバネ受容凹部27b間に軸方向の共有同期コイルばね32を介装したことを特徴とする。
前記キーボタン3のバネ係合手段3dは、キーボタンの軸体3a下部に形成したバネ係止孔3eと、軸体3aの側面に形成したバネ係止溝3fと、キーボタンの軸体廻りに張り巡らせてケーシング通口4側へ付勢させたコイルばね33とからなり、バネ係止孔3eに一端を係止させたコイルばね33をリリースフレーム21のブラケットに係合させて軸体3a廻りに弾力的に張り巡らして構成することができる。
【発明の効果】
【０００６】
本発明のキー装置は上記の構成になるので、施錠の際は、図11に示すように、任意に選択したキーボタンを係止下死点位置に押し込み、セットプレートをバネに抗して図の左側へスライドさせると、セットプレートのテーパー拡径縁辺によって非選択ボタンと選択キーボタンの各セグメントの突出側係止片がセットプレートの上、下に仕分けられる。図は省略したが、この状態でキー装置を本体側のフックに押し付け、フックをバックカバー29のフック受け入れ口29aに挿入すると、ロックプレート28とともにリリースフレーム21が図の右側へ移動する。これにより押し込まれていた選択キーボタンの係止が解かれ元の位置に復帰することにより選択キーボタンの外側へ突出している下部係止片がセットプレートと同一水平レベルに並び相互に干渉される。このため操作部材の操作片回動操作が阻害され扉の施錠が完了する。
他方、扉を開くときは、操作部材の作動片を操作するだけで解錠が完了し、選択ボタンが元の状態に自動復帰する。したがって、キー装置の開閉操作が簡単になるとともに、開閉キーボタンを自由に選択・変更することができるのでキー装置の開閉制御・管理が著しく改善される。
【図面の簡単な説明】
【０００７】
【図１ａ】ケーシングの展開平面図
【図１ｂ】図1のA-A線断面図
【図１ｃ】ケーシングの展開裏面図
【図２ａ】操作部材の側面図
【図２ｂ】操作部材の底面図
【図３】キーボタンの拡大斜視図
【図４ａ】セットプレートの平面図
【図４ｂ】図4aのB-B戦断面図
【図５】センタープレートの平面図
【図６ａ】リリースフレームの平面図
【図６ｂ】リリースフレームの側面図
【図６ｃ】リリースフレームとキーボタンの装着説明図
【図７ａ】作動プレートの拡大平面図
【図７ｂ】図７aのC-C線断面図
【図７ｃ】図７aのD-D線断面図
【図８ａ】ロックプレートの平面図
【図８ｂ】図８aのE-E線断面図
【図８ｃ】ロックプレートの側面図
【図９ａ】バックカバーの平面図
【図９ｂ】図９aのF-F線断面図
【図１０】キー装置の分解・組付け説明図
【図１１】本発明によるキー装置の縦断面図
【発明を実施するための形態】
【０００８】
以下に本発明の実施例を添付の図面に基づいて説明する。
図10は本発明の一実施例によるキー装置の構成部材とその組付け関係を示す分解図であり、図11はキー装置構成部材の組付図である。
これらの図が示すように本発明のキー装置は、枠体裏側にバックプレート29が嵌められるケーシング1と、このケーシング1の内部軸方向に係着・固定されるセンタープレート16と、同ケーシング1の内部軸方向にスライド可能に嵌装されるセットプレート8と、リリースフレーム21と、作動プレート24、ロックプレート28とからなる可動プレート群と、これらセンタープレート16と可動プレート群の各通口にスライド可能に嵌装され、突出上死点位置と押し込み係止位置にスライド可能に位置規制されるキーボタン3と、ケーシング正面プレート1aとセットプレート8間に嵌装される位置同調コイルばね30と、セットプレート8と作動プレート24間に嵌装される同期コイルばね31と、ロックプレート28とバックカバー29間に嵌装される同期コイルばね32と、ケーシング1の正面プレート1aに嵌装される操作部材2と、を構成部材として備えている。
【０００９】
前記ケーシング1は、図1a、図1b、図1c及び図10、図11 に示すように、断面コの字状の枠体の正面プレート1aに後述の各キーボタン3の頭部が出入りする複数の通口4を形成するとともに、これら通口4群の先端側板面に後述の操作部材2を嵌装するための開口部6を形成し、さらにその先端側裏面にバネ受容凹部7aを形成した枠体からなり、枠体内部の中央軸方向にセンタープレート16を正面プレート1aと平行に配し、枠体裏側にバックカバー29が嵌め込まれるようになっている。
【００１０】
前記センタープレート16は図5及び図10、図11示すように、ケーシング1の通口4群に対応するキーボタン3群を通す開口13群と、後述するセットプレート8の裏面の係合突起11を通す開口14を有するとともに、プレート側縁に突起爪15aを有し、この突起爪15aをケーシング1側面の爪受け部15bに装着して、図11に示すように、ケーシング1の枠体内部を上下に区画している。
【００１１】
前記バックカバー29は図9a、図9b及び図10、図11に示すように、バネ受容凹部27bを形成したガイドフレーム27を一体形成してあるとともに、その後方（図の左側）のプレート縁辺に開閉本体（キー開閉部材の相手側）の係合フックFを受け入れるフック受け入れ口29aを形成してある。
【００１２】
なお、ケーシング1を構成する図１a及び図1cの部材において、符号5aは補強リブ、符号5bは折り込み薄肉部である。
【００１３】
前記セットプレート8は、図4a、図4b、図4c及び図10、図11に示すように、前記ケーシング1の通口4に対応する位置に異径開口9群を形成し、その先方に前記操作部材2を嵌装する開口部10を形成するとともに、先端付近の板面に前記ケーシング1のバネ受容凹部7aに対応する他方のバネ受容凹部7bを設け、相対するバネ受容凹部7a、7b間に位置同調コイルばね30を嵌装して前記センタープレート16上の軸方向に沿って往復スライド可能に嵌装され、先端部8´（図の右側先端）をケーシング1の外部に突出させてある。なお、この突出先端部8´は選択したキーボタンをセッティングする際にケーシング内側へスライドさせるための押圧部である。
【００１４】
前記セットプレート8の異径開口9は、後述のキーボタン3の横断貫通口3bにスライド可能に嵌装したセグメント3cの突出係止片（上部係止片3c-1又は下部係止片 3c-2）を通す拡径縁辺9aと、突出係止片に係合してこれを横断貫通口3b内に押し込み他方係止片を突出させるテーパー状縮径縁辺9cを介して縮径縁辺9bに連通させた構成になり、キーボタン3に対するセットプレート8の所定スライドを許容する細長の通口に形成されている。
【００１５】
さらに、前記セットプレート8には、前記異径開口9と開口部10間の裏面に下方へ延びる係合突起11と後記作動プレート24のバネ受容凹部12bに対応するバネ受容凹部12aが一体的に形成されており、バネ受容凹部12a、12b間に同期コイルばね32が嵌装されるようになっている。
【００１６】
前記リリースフレーム21は、図6a、図6b、図6c及び図10、図11に示すように、平坦プレート面に前記セットプレートの通口4群に対応するキーボタンの長軸通口17群と、前記セットプレート8裏面の係合突起11を通す通口18を有するとともに、その先端に縮径頸部を介して鉤状係合部19を設け、この鉤状係合部19の裏側に下方へ延びる係合突起20を一体形成して前記センタープレート16の下面軸方向に沿って往復スライド可能に嵌装されるものである。
また、リリースフレーム21は、下死点位置に押し込んで係止させたキーボタンのバネ係止手段3dを開放するものであり、このため前記長軸通口17はリリースフレーム21のスライドに必要な長方形に形成されている。
【００１７】
前記作動プレート24は、図7a、図7b、図7c及び図10、図11に示すように、後端(左端)に前記リリースフレーム21の鉤状係合部19に所定間隙D（通常はわずかな間隔）を保持して凹凸係合される係合部22を有するとともに、その先端側に前記ケーシング1の開口部6に嵌合した操作部材2下面の作動片2cによって先端側（図の右方向）へ弾力的に押圧される係合段部23と、前記セットプレート8のバネ受容凹部12aに対応する他方のバネ受容凹部12bを有し、相対するバネ受容凹部12a、12b間に同期コイルばね33を嵌装して軸方向へ往復スライド可能に嵌装される、
【００１８】
前記ロックプレート28は、図8aないし図8c及び図10、図11に示すように、後端部に前記セットプレート8の係合突起11を係合させる凹部25を形成し、側面に前記開閉本体の係合フックFが係合される側面袖部34を一体形成してあるとともに、中央部横断方向に前記リリースフレーム21の下向き係合突起20を受け入れる係合口26を形成し、その先端側に前記バックカバー29のバネ受容凹部27bに対応する軸方向のバネ受容凹部27aを形成してなり、相対するバネ受容凹部27aとバネ受容凹部27b間に同期コイルバネ32を嵌装して軸方向にスライド可能に配設されている。
【００１９】
前記操作部材2は、図2a、図2b及び図10、図11に示すように、操作つまみ2aの下部に前記キーケーシング1の開口部6に嵌装される嵌装部2bを有し、その下面に前記のセットプレート8の開口部10を貫通して作動プレート24の係合段部23に至る作動片2cを突出形成してあり、作動プレート24の係合段部23に付与される作動片2cの復帰可能な変位・押圧力で、作動プレート24を図の右方向へ弾発的にスライドさせるようになっている。
【００２０】
図の実施例の操作部材2は、操作つまみ2aの下部に形成した嵌装部2bをケーシング1の開口部6に回転可能に嵌合するとともに、嵌装部2bの下面に一体形成した径方向の作動片2cを前記作動プレート24の係合段部23まで延在させ、操作つまみ2aを所定角度回動することにより係合段部23に当接している作動片2cの先端が係合段部23を図の右方へ押圧して作動プレート24を駆動するようにしてある。
【００２１】
ただし、操作部材2は上記の構成に限定されるものではなく、例えば、作動片2cを梃子作用や摺動作用で水平変位させて作動プレート24を駆動させてもよい。
【００２２】
前記キーボタン3は、図3及び図10、図11に示すように、軸体3aの中央部径方向に横断貫通口3bを貫設し、この横断貫通口3bにセグメント3cを摺動可能に嵌装してある。
このセグメント3cは横断貫通口3bの左右外側へ択一的に出没する上部係止片3c-1と下部係止片3c-2を一体形成した略Z状の構成になっている。
このように構成した各々のキーボタン3は図10に示すように、リリースフレーム21の長軸通口17、センタープレート16の通口13、セットプレート8の異径開口9を通し、軸体3aの頭部をケーシング1の通口4から突出するようにして嵌装される。
【００２３】
さらに、キーボタン3の軸体3a上部にはケーシング１の通口4下面に係止されて上死点位置を規制する係止部3gを形成してある。また、キーボタン3の下部には、キーボタン3をケーシング１の通口4の上死点位置に向けて付勢するとともに、押しこんだキーボタン3を押し込み下死点位置に係止させるバネ係合手段3dが設けられている。
なお、キーボタン3の上死点を規制する係止部3gとセットプレート8の位置関係は、キーボタンの係止部3gがケーシング１の通口4に係止された時にセグメント3cの下部係止片3c-2がセットプレート8の開口9と同一水平レベルで対向するように設定されている。
【００２４】
かくして、上死点位置にある非選択キーボタンと押しこみ下死点位置にある選択キーボタンの各セグメント3cは、セットプレート8のテーパー状縮径縁辺9cとの係合により非選択キーボタンの上部係止片3c-1がセットプレート8の上側で横断方向へ突出し、他方、選択キーボタンの下部係止片3c-2 がセットプレート8の下側で横断方向へ突出している。したがって、その姿勢で上死点位置に復帰した選択キーボタンの突出下部係止片3c-2がセットプレート8と同レベルになるのでセットプレート8のスライドは選択キーボタンの下部係止片3c-2によって干渉されスライド不能となる。
【００２５】
図3及び図6cはキーボタン3を付勢させる前記バネ係合手段3dの一実施例を示すもので、図3のようにキーボタン3の下部に付勢コイルばね33の一端を差し込んで係止させる、好ましくはテーパー状のバネ係止孔3eを形成し、このバネ係止孔3eよりも上方の他の側面に付勢コイルばね33が係止するバネ係合溝3fを形成し、さらに、図6cに示すように、リリースフレーム21裏面の通口17周辺に前記付勢コイルばね33を引っ掛ける断面フック状の左右ブラケット21a、21bを設け、キーボタン軸体3b下部の前記バネ係止孔3eに一端側を係止させた大径の付勢コイルばね33をキーボタン軸体3aの後方に膨出させてリリースフレーム21のリブ5aと前記一方のブラケット21aに係合させた後、その他端を他方のブラケット21bに係止してある。
【００２６】
この構成により、キーボタン3の下端をリリースフレーム21のブラケット下方まで押し込むと付勢リングばね33がキーボタン3の前記バネ係合溝3fに係合してキーボタン3を押し込み位置に保持させ、他方、リリースフレーム21が図の右方向へスライドするとバネ係合溝3fへの係合が解かれ付勢リングばね33の反力でキーボタン3がケーシング1の通口4から突出する。
【００２７】
キーボタンを付勢させるバネ係合手段は上記の実施例に限定されるものではなく、通常はキーボタンを上方へ付勢し、押し込んだときに押し込み位置に保持するものであれば他の構成でもよい。
【００２８】
本発明のキー装置を構成する各部材の材質は所定の強度を満たす限りいかなるものも使用可能であるが、耐久性、耐候性、加工性、コスト等の面からプラスチック材、好ましくは６・ナイロンが適している。
【００２９】
次に、本発明によるキー装置の作用を説明する 
施錠前の状態
キーボタン3がフリーの状態では全てのキー軸体3aは下部のバネ係合手段によりケーシング1の開口の外側へ向けて付勢されている。
【００３０】
施錠
施錠の際は、図11に示すように、キー番号として選択したキーボタンを押し込むと、選択キーボタン3が下部のバネ係合手段により押し込み位置に保持される。
この状態でセットプレート8の突出先端部8´を押圧してセットプレート8をバネに抗して図の左側へスライドさせると、セットプレート8の開口9のテーパー縁辺9cによって非選択ボタンと選択キーボタンの各セグメント7の突出側係止片がセットプレート8の上、下に仕分けられる。
図は省略したが、この状態でキー装置を本体側に押し付けてフックをロックプレート28に係合させると、ロックプレート28のスライド過程でロックプレート28の係合口26に係合しているリリースフレーム21の裏側係合突起20によりリリースフレーム21が図の右方向へスライドし、これにより選択キーボタンの押し込み位置保持が解除されることにより選択キーボタンは元の上方付勢位置に復帰する。
したがって、この状態では選択キーボタンのセグメントの突出側下部係止片3c-2とセットプレート8が同一水平面で対向しているのでセットプレート8に形成された異形開口9の拡径縁辺9a後端と選択キーボタンの突出下部係止片3c-2の相互干渉により操作部材2の操作が不能になって施錠操作が完了する。同時にロックプレート28は同期コイルばね32の反力で原位置へ復帰する。
すなわち本発明に使用されるリリースプレート8は非選択キーボタンと選択キーボタンの突出係止片3c-１をリリースプレート8の上、下に仕分ける機能と、選択キーボタンが元の位置に復帰したときに選択キーボタンの突出係止片3c-１に干渉され、選択キーボタンを再度押しこみ位置に変位させない限り、操作部材の解錠操作を不能にする機能を併せ持っている。
【００３１】
また、キー装置の施錠状態では  セットプレート8の下方係合突起11がロックプレート28の凹部25に係止されるとともに、リリースフレーム21の係合突起20がロックプレート28の係合口26に係合され、リリースフレーム8がロックされている。
【００３２】
解錠
施錠の状態から選択キー番号のキーボタン3を押し込んで押し込み位置に係止させたうえで、操作部材2の操作で作動片2cが作動プレート8と作動プレート24を図の右方へ押圧すると、これに連繋してリリースフレーム21が図の右方へスライドし、押し込んだキーボタンの下死点位置係合が解かれ、上死点位置に復帰するとともに、係合フックFの係合が解かれ、解錠が完了する。従ってキー番号ボタンの押し込みと操作部材2のワンタッチ操作でキー装置が解錠される。
【産業上の利用可能性】
【００３３】
安全で使い勝手の良い新規のキー装置として建築物のメールボックスやドアなどに広く使用されるほか、セキュリテイ産業にも貢献できる。
【符号の説明】
【００３４】
1…ケーシング
1a…正面プレート
2…操作部材
2a…操作つまみ
2b…嵌装部
2c…作動片
3…キーボタン
3a…軸体
3b…横断貫通口
3c…セグメント
3c-1…上部係止片
3c-2…下部係止片
3d…バネ係合手段
3e…バネ係止孔
3f…バネ係合溝
3g…係止部
4…通口
5a…リブ
5b…折り込み薄肉部
6…開口部
7a、7b…バネ受容凹部
8…セットプレート
8´…先端部
9…異形開口
9a…拡径縁辺
9b…縮径縁片
9c…テーパー状縮径縁辺
10…開口部
11…係合突起
12a、12b…バネ受容凹部
13…通口
14…開口
15a…突起爪
15b…爪受け部
16…センタープレート
17…長軸通口
18…通口
19…鉤状係合部
20…裏側係合突起
21…リリースフレーム
21a、21b…ブラケット
22…鉤状係合部
23…係合段部
24…作動プレート
25…凹部
26…係合口
27…ガイドフレーム
27a、27b…バネ受容凹部
28…ロックプレート
29…バックカバー
29a…係合フック受入れ口
30…位置同調コイルばね
31…同期コイルばね
32…同期コイルばね
33…付勢コイルばね
34…フック係合部
F…係合フック
【要約】      （修正有）【課題】キーケーシングに内装された複数のスライドプレートを作動部材のワンタッチ操作で作動させる機械的キー装置を提供する。【解決手段】センタープレート１６を有するキー装置のケーシング１内部軸方向にセットプレート８、リリースフレーム２１、作動プレート２４、ロックプレート２８をスライド可能に嵌装し、センタープレート１６と可動プレート群の各通口に、突出位置と押し込み位置に位置規制されるキーボタン３を嵌装する。セットプレートの係合突起１１がロックプレートの先端凹部２５に係合し、リリースフレーム２１の係合突起２０をロックプレートの凹部２６に嵌合して、リリースフレーム２１がロックされる。解錠は選択キー番号のキーボタン３を押し込んだ上で、操作部材２の操作でセットプレート８と作動プレート２４を右方に押圧すればよい。リリースプレート２１が右方に移動し、キーボタン３の係合が解かれ、解錠フックが外れる。【選択図】図１１【図１ａ】
0005686460.tif 000002
【図１ｂ】
0005686460.tif 000003
【図１ｃ】
0005686460.tif 000004
【図２ａ】
0005686460.tif 000005
【図２ｂ】
0005686460.tif 000006
【図３】
0005686460.tif 000007
【図４ａ】
0005686460.tif 000008
【図４ｂ】
0005686460.tif 000009
【図５】
0005686460.tif 000010
【図６ａ】
0005686460.tif 000011
【図６ｂ】
0005686460.tif 000012
【図６ｃ】
0005686460.tif 000013
【図７ａ】
0005686460.tif 000014
【図７ｂ】
0005686460.tif 000015
【図７ｃ】
0005686460.tif 000016
【図８ａ】
0005686460.tif 000017
【図８ｂ】
0005686460.tif 000018
【図８ｃ】
0005686460.tif 000019
【図９ａ】
0005686460.tif 000020
【図９ｂ】
0005686460.tif 000021
【図１０】
0005686460.tif 000022
【図１１】
0005686460.tif 000023